(57)【要約】【課題】撮影中においてユーザがマニュアル操作で、フォーカス調整と他の撮影パラメータの調整などの複数の操作を容易に素早く行うことができること。【解決手段】撮像装置１においては、キー割り当て処理部５３と、入力部１７と、を備える。キー割り当て処理部５３は、ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の入力部１７で兼用するようにキー割り当てを行う。【選択図】図５
2015179961.tif 000002
【特許請求の範囲】
【請求項１】
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当手段を、
備えることを特徴とする情報処理装置。
【請求項２】
前記割当手段は、
前記ライブビュー画面の全体を表示した状態で、前記ハードウェアで構成される所定の操作手段に前記第３の操作を割り当て、
前記ライブビュー画面の一部を拡大表示した状態で、前記操作手段への割り当てを前記第３の操作から、前記第２の操作に切り替え、
前記ライブビュー画面の一部を拡大表示した状態から前記ライブビュー画面の全体表示の状態に戻った場合に、前記操作手段への割り当てを前記第３の操作に戻すように割り当てる、
ことを特徴とする請求項１に記載の情報処理装置。
【請求項３】
前記割当手段は、
ライブビュー画面の全体を表示した状態で、ハードウェアで構成される複数の操作手段による複数の操作を行うように割り当て、
前記複数の操作手段及び前記複数の操作のうち、ライブビュー画面の一部を拡大した状態で一時的に未使用となる前記複数の操作手段のうちのいずれかの操作手段及び前記複数の操作のうちのいずれかの操作を、前記ハードウェアで構成される所定の操作手段で行われる前記第２の操作に切り替えるように割り当てる、
ことを特徴とする請求項１又は２に記載の情報処理装置。
【請求項４】
前記割当手段は、
ライブビュー画面の全体を表示した状態で、前記ハードウェアで構成される所定の操作手段に、前記第１の操作を割り当て、
ライブビュー画面の一部を拡大表示した場合に、当該ハードウェアで構成される所定の操作手段への割り当てを、前記第２の操作へ切り替えると共に、当該ハードウェアで構成される所定の操作手段が更に操作されるとフォーカス調整を行うように割り当てる、
ことを特徴とする請求項１に記載の情報処理装置。
【請求項５】
前記ハードウェアで構成される所定の操作手段は、特定の表示画面下においてフォーカス位置の変更専用の操作手段であり、
前記割当手段は、前記ハードウェアで構成される所定の操作手段への操作によりフォーカス位置が変更された場合に、前記ライブビュー画面の一部の拡大表示へ切り替えるように割り当てる、
ことを特徴とする請求項４に記載の情報処理装置。
【請求項６】
前記ハードウェアで構成される所定の操作手段は、第１の操作手段と、第２の操作手段とで構成し、
前記割当手段は、前記第１の操作手段に、前記第２の操作と前記３の操作を兼用させ、前記第２の操作手段に、前記第１の操作と前記第２の操作を兼用させるように割り当てる、
ことを特徴とする請求項１乃至５のいずれか１項に記載の情報処理装置。
【請求項７】
前記第２の操作は、フォーカス位置の変更操作であり、
前記第３の操作は、拡大率の変更操作である、
ことを特徴とする請求項１乃至６のいずれか１項に記載の情報処理装置。
【請求項８】
ライブビュー画面の全体を表示した状態で、拡大率に相当する拡大予定部分を枠表示し、ライブビュー画面の一部を拡大した場合に、拡大率に対応するライブビュー画面の全体と拡大部分の対応関係を示す枠表示を行うように表示手段を制御する表示制御手段を備える、
ことを特徴とする請求項１乃至７のいずれか１項に記載の情報処理装置。
【請求項９】
前記表示制御手段は、ライブビュー画面の一部の拡大表示中は、現在のフォーカス位置を示すバー表示を行うように前記表示手段を制御する、
ことを特徴とする請求項８に記載の情報処理装置。
【請求項１０】
前記表示制御手段は、設定可能な複数の拡大率のうち、拡大表示へ切り替え時のデフォルトは高い方の拡大率となるように前記表示手段を制御する、 
ことを特徴とする請求項８又は９に記載の情報処理装置。
【請求項１１】
前記割当手段は、フォーカス位置の確定操作と、拡大表示を解除して全画面表示への切り替え操作と、前記第３の操作を、前記ハードウェアで構成される所定の操作手段で兼用するように割り当てる、
ことを特徴とする請求項１乃至１０のいずれか１項に記載の情報処理装置。
【請求項１２】
画面表示の切り替えを実行する第１の機能を、操作手段での第１の操作に割り当て、第１の画面で実行される第２の機能を当該操作手段での第２の操作に割り当て、第２の画面で実行される第３の機能を当該操作手段での第３の操作に割り当てる割当手段と、
表示画面と、操作状態の条件に基づいて、操作手段への操作を検出する操作検出手段と、
前記操作検出手段により検出された操作に基づいて、前記割当手段により割り当てられた機能を実行する実行手段と、
を備えることを特徴とする情報処理装置。
【請求項１３】
前記第１の操作によって実行される前記第１の機能は、ライブビュー画面の全体表示から一部の拡大表示への切り替え機能であり、
前記第２の操作によって実行される前記第２の機能は、一部の拡大表示におけるフォーカス調整機能であり、
前記第３の操作によって実行される前記第３の機能は、ライブビュー画面の全体表示におけるフォーカス調整以外の機能である、
ことを特徴とする請求項１２に記載の情報処理装置。
【請求項１４】
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当ステップを、
含むことを特徴とする情報処理方法。
【請求項１５】
コンピュータに、
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当機能を、
実現させることを特徴とするプログラム。
【発明の詳細な説明】
【技術分野】
【０００１】
本発明は、情報処理装置、情報処理方法及びプログラムに関する。
【背景技術】
【０００２】
従来より、撮影中においてユーザは、ライブビュー画面を見ながら所定の操作部の操作を行うことで各種の撮影パラメータなどを変化させながら所望の状態になった時にシャッターボタンを押下して撮影を行っている。また、マニュアル操作でフォーカスを合わせる場合には、ライブビュー画面の一部を一時的に拡大して被写体のフォーカス状態を確認しやすくする技術が知られている（特許文献１及び２を参照）。
【先行技術文献】
【特許文献】
【０００３】
【特許文献１】特開平１１−１９６３０１号公報
【特許文献２】特開２０１３−１２６１７７号公報
【発明の概要】
【発明が解決しようとする課題】
【０００４】
上述した技術では、ユーザは、ライブビュー画面の全体と一部の拡大状態の両方を確認しながら、かつ、フォーカス調整と他の撮影パラメータの調整などの複数の操作を同時に（交互に）行う必要がある。
しかしながら、素早く容易な操作が可能なハード的なボタン等の操作手段の数は限られており、これら複数の操作をユーザが容易に素早く行うことは困難であった。
【０００５】
本発明は、このような状況に鑑みてなされたものであり、撮影中においてユーザがマニュアル操作で、フォーカス調整と他の撮影パラメータの調整などの複数の操作を容易に素早く行うことができるようにすることを目的とする。
【課題を解決するための手段】
【０００６】
上記目的を達成するため、本発明の一態様の情報処理装置は、
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当手段を、
備えることを特徴とする。
【発明の効果】
【０００７】
本発明によれば、撮影中においてユーザがマニュアル操作で、フォーカス調整と他の撮影パラメータの調整などの複数の操作を容易に素早く行うことができる。
【図面の簡単な説明】
【０００８】
【図１】本発明の情報処理装置の一実施形態に係る撮像装置のハードウェアの構成を示すブロック図である。
【図２】入力部を構成する各種キーを説明するための模式図である。
【図３】フォーカスの調整に係る画面を説明するための模式図である。
【図４】フォーカスの調整に係る画面を説明するための模式図である。
【図５】図１の撮像装置の機能的構成のうち、撮影処理を実行するための機能的構成を示す機能ブロック図である。
【図６】図５の機能構成を有する図１の撮像装置が実行する撮影処理の流れを説明するフローチャートである。
【図７】撮影処理のうち、キー割り当て処理の流れを説明するフローチャートである。
【発明を実施するための形態】
【０００９】
以下、本発明の実施形態について、図面を用いて説明する。
【００１０】
図１は、本発明の情報処理装置の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種キー等で構成され、ユーザの指示操作に応じて各種情報を入力する。入力部１７を構成する各種キーの詳細については後述する。
【００１９】
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２０】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
ここで、入力部１７を構成する各種キーについて説明する。
図２は、入力部１７を構成する各種キーを説明するための模式図である。
本実施形態の撮像装置１は、図２に示すように、入力部１７として、方向キー１７ａと、コントロールダイヤル１７ｂと、ＳＥＴキー１７ｃと、ファンクションリング１７ｄと、を含む。
【００２２】
方向キー１７ａは、図２（ａ）に示すように、出力部１８の表示画面に対応して配置され、上下方向、左右方向の４種類の方向を模したキーにより構成される。方向キー１７ａを押下操作することで、割り当てられたキー操作を行う。方向キー１７ａには、例えば、所定の値の変更の機能が割り当てられる。
【００２３】
ＳＥＴキー１７ｂは、方向キー１７ａの周辺に配置されるキーであり、押下操作することで、割り当てられたキー操作を行う。ＳＥＴキー１７ｂには、例えば、変更された値に確定する機能が割り当てられる。
【００２４】
コントロールダイヤル１７ｃは、方向キー１７ａの周囲に配置されており、周方向に回転操作可能に構成される。コントロールダイヤル１７ｃには、例えば、所定の値の変更の機能が割り当てられる。コントロールダイヤル１７ｃは、移動方向や移動の度合いに応じて種々の機能を割り当てることができる。
【００２５】
ファンクションリング１７ｄは、図２（ｂ）に示すように、図中ハッチングで示すレンズの基端部に設けられ、レンズの周回方向に起点から左右に最大９０度回動可能に構成される。ファンクションリング１７ｄは、移動方向や移動角度に種々の機能を割り当てることができる。ファンクションリング１７ｄには、例えば、所定の値の変更の機能が割り当てられる。
なお、本実施形態においては、方向キー１７ａと、ＳＥＴキー１７ｃにキー割り当てを行った例について説明する。
【００２６】
このように構成される撮像装置１では、機能設定状態においては、通常のキー割り当てと異なり、設定する機能に応じて各種入力部１７のキー割り当てとなる機能を有する。また、設定する機能に応じたキー割り当ては、各種入力部１７の物理的特性を加味して割り当てられ、ユーザが直感的な操作で機能の設定を行うことができるように割り当てられている。
【００２７】
本実施形態の撮像装置１では、入力部１７を通常の撮影状態（ＲＥＣスルー状態）を優先したキー割り当てで設計するが、所定の機能設定時（機能設定画面の移行時）には、通常の撮影状態（ＲＥＣスルー状態）の一部ではなく設定する機能の独立した状態として設計する。本実施形態においては、所定の機能設定として、フォーカスの調整を例として説明する。即ち、撮影状態でのライブビュー画像の表示画面からフォーカスの調整に係る画面に移行すると、撮影状態で割り当てられていた入力部１７をフォーカスの調整を行うための専用化されたキーとして割り当てる。
【００２８】
図３及び図４は、フォーカスの調整に係る画面を説明するための模式図である。
具体的には、本実施形態においては、フォーカスの調整に係る画面表示として、ＭＦスルー画面と、フォーカス調整画面の画面表示を行う。
ＭＦスルー画面は、フォーカス調整画面へ移行する前の画面である。フォーカス調整画面は、所定の倍率（本実施形態においては、６倍と９倍の倍率）下でフォーカスの調整を行う画面である。
【００２９】
まず、フォーカス調整画面への移行にあたり、ＭＦスルー画面が表示される。ＭＦスルー画面表示状態において、方向キー１７ａの左右ボタンいずれか操作やファンクションリングの回動操作を行うことによってフォーカス調整画面へ移行する。
フォーカス調整画面へは、図３に示すようなＭＦスルー画面から所定の操作を行うことで移行する。本実施形態では、ＭＦスルー画面表示状態において、方向キー１７ａの左右ボタンいずれか操作やファンクションリングの回動操作を行うことによってフォーカス調整画面へ移行する。
【００３０】
ＭＦスルー画面では、図３に示すように、ライブビュー画像に重畳して、ガイド表示がなされる。
ＭＦスルー画面でのガイド表示は、少なくとも、「ＭＦ」アイコンと、フォーカス枠と、が表示される。
「ＭＦ」アイコンは、フォーカス方式を表しており、マニュアル方式であることをＭＦとして表示している。
フォーカス枠は、フォーカス調整画面へ移行した際の表示画面の枠を示したものである。即ち、フォーカス調整画面へ移行することにより、フォーカス枠の部分を拡大した表示となる。
【００３１】
このように構成されるＭＦスルー画面の表示状態において、所定の操作を行うことにより、フォーカス調整画面（９倍）へ移行する。フォーカス調整画面（９倍）とは、フォーカスの調整を行う設定画面であり、ＭＦスルー画面でのフォーカス枠の領域に相当する９倍に拡大した画面である。これに対して、本実施形態においては、フォーカス枠の領域に相当する６倍に拡大した画面であるフォーカス調整画面（６倍）もある。
【００３２】
フォーカス調整画面（９倍）では、図３に示すように、フォーカス枠内を拡大した画像を背景にして、ガイド表示がなされる。
フォーカス調整画面でのガイド表示は、少なくとも、「ＭＦ」アイコンと、「ＭＦバー」と、「倍率表示ガイド」と、からなる。
【００３３】
「ＭＦ」アイコンは、フォーカス方式を表しており、マニュアル方式であることをＭＦとして表示している。
【００３４】
「ＭＦバー」は、図３に示すように、フォーカス位置を調整するためのバーであり、現在の光学ズームの倍率における調整の最長距離を示す最大値（図中、ＭＦバーの右端）と最短距離を示す最小値（図中、ＭＦバーの左端）がバー表示され、現在設定されているフォーカス位置をバー内のアイコンで表示している。なお、バー表示と共に表示される数値は、現在の光学ズームの倍率における調整の最大値と最小値に加えて中間距離を示す中間値が表示される。中間値の数値の表示位置は、光学ズームの倍率によって変化する。
図３の例では、最小値が「１ｃｍ」であり、中間値が「１ｍ」であり、最大値が無限遠を示す「∞」である。
【００３５】
フォーカス位置の変更は、図４（ａ）に示すように、バー内のアイコンを最大値と最小値間を移動させることにより行う。即ち、バー内のアイコンを最大値と最小値の方向である左右方向に移動させることにより行う。
このようにバー表示と共に最大値・中間値・最小値を表示することで、ユーザは、直感的に現在のフォーカス位置に対する変更可能な領域と程度を把握することができ、直感的な操作を行うことができる。
【００３６】
「倍率表示ガイド」は、図４（ｂ）に示すように、現在取得しているライブビュー画像の画角におけるフォーカス調整画面の表示領域を示したものである。また、「倍率表示ガイド」には、現在の倍率を数値（「×６」や「×９」）で表示し、当該倍率において移行可能な倍率の方向を示すアイコン（以下。「可能変更倍率アイコン」という。）も共に表示される。
可能変更倍率アイコンにおける移行可能な倍率の方向は、高い倍率に変更できる場合、即ち、現在の倍率が６倍（「×６」）である場合には、上方向を表すアイコンが表示され、低い倍率に変更できる場合、即ち、現在の倍率が９倍（「×９」）である場合には、下方向を表すアイコンが表示される。
【００３７】
本実施形態においては、「ＭＦバー」の左右方向に位置を変更する構成に合わせて、左右方向の移動を想起させる十字ボタンの左右キーに、フォーカス位置の変更キーを割り当てる。
また、可能変更倍率アイコンの上下方向の指示の構成に合わせて、上下方向の移動を想起させる十字ボタンの上下キーに、フォーカス位置の変更キーを割り当てる。
【００３８】
したがって、ユーザは、フォーカス位置を変更したい場合には、ＭＦバーの長手方向側である左右ボタンを操作してフォーカス位置を直感的に変更することができ、倍率を変更したい場合には、変更可能な方向側である上ボタンか下ボタンを操作して倍率を直感的に変更することができる。
【００３９】
図５は、このような撮像装置１の機能的構成のうち、撮影処理を実行するための機能的構成を示す機能ブロック図である。
撮影処理とは、キーの割り当てを行った後に、フォーカス位置の設定を行った上で、撮影を行うまでの一連の処理をいう。
【００４０】
撮影処理を実行する場合は、図５に示すように、ＣＰＵ１１において、モード設定部５１と、表示制御部５２と、キー割り当て処理部５３と、入力操作検出部５４と、機能実行部５５と、撮像制御部５６と、記憶制御部５７と、が機能する。
また、記憶部１９の一領域には、画像記憶部７１が設定される。
画像記憶部７１には、撮像部１６から出力された撮像画像のデータが記憶される。
【００４１】
モード設定部５１は、例えば、マニュアル（ＭＦ）モードやマルチオートフォーカス（ＡＦ）モード等の各種モードの設定や確認を行う。
【００４２】
表示制御部５２は、出力部１８における表示を制御する。
具体的には、表示制御部５２は、ユーザからの入力部１７への操作に応じて、ＭＦモード下において、ＭＦスルー画面と、フォーカス調整画面とを切り替えて表示する。表示制御部５２は、その際、図３に示すようにライブビュー画像を表示させると共に、各種ガイドＧＤ１〜ＧＤ４を表示するように出力部１８を制御する。
【００４３】
キー割り当て処理部５３は、キー割り当て処理を実行する。
キー割り当て処理は、入力部１７の各種キーに個別に機能を割り当てる処理であり、ユーザによる任意の機能の割り当ても可能とする処理である。また、キー割り当て処理は、普遍的に入力部１７の各種キーに個別に機能を割り当てるわけではなく、場面毎に入力部１７の各種キーに個別に機能を割り当てることができる。
【００４４】
具体的には、キー割り当て処理部５３は、ＭＦモード下において、図３に示すように、ＭＦスルー画面で、方向キー１７ａの下キーにフォーカス調整画面（９倍）への画面を移行させる機能を割り当てる。
【００４５】
また、キー割り当て処理部５３は、図３及び図４（ａ）に示すように、フォーカス調整画面（９倍）及びフォーカス調整画面（６倍）において、方向キー１７ａの左右キーにフォーカス位置の変更をさせる機能を割り当てる。
【００４６】
また、キー割り当て処理部５３は、図３及び図４（ｂ）に示すように、フォーカス調整画面（９倍）及びフォーカス調整画面（６倍）において、方向キー１７ａの上下キーにフォーカス調整画面（６倍）とフォーカス調整画面（６倍）との間を移行させる機能を割り当てる。
【００４７】
また、キー割り当て処理部５３は、図３に示すように、ＳＥＴキー１７ｂにフォーカス調整画面（９倍）及びフォーカス調整画面（６倍）において、フォーカス位置を確定して、ＭＦスルー画面へ移行（復帰）させる機能を割り当てる。
【００４８】
入力操作検出部５４は、ユーザによる入力部１７への各種の入力操作を検出する。
具体的には、入力操作検出部５４は、ＭＦモード下のＭＦスルー画面の表示状態において、方向キー１７ａの下キーの押下操作を検出する。
また、入力操作検出部５４は、ＭＦモード下のフォーカス調整画面（９倍）の表示状態において、方向キー１７ａの上下キー、左右キー及びＳＥＴキー１７ｃの押下操作を検出する。
【００４９】
機能実行部５５は、操作が検出されたキーに割り当てられた機能を実行する。
具体的には、機能実行部５５は、ＭＦモード下において、ＭＦスルー画面の表示状態で、方向キー１７ａの下キーへの操作が検出された場合には、にフォーカス調整画面（９倍）への画面を移行させる機能を実行する。機能実行の結果、表示制御部５２により、ＭＦモード下において、ＭＦスルー画面と、フォーカス調整画面とを切り替えて表示するように出力部１８が制御される。
【００５０】
また、機能実行部５５は、フォーカス調整画面（９倍）及びフォーカス調整画面（６倍）の表示状態において、方向キー１７ａの左右キーへの操作が検出された場合には、フォーカス位置の変更をしている表示と、フォーカス位置の値の変更をさせる機能を実行する。機能実行の結果、操作に対応して、表示におけるフォーカス位置の変更と値の変更が行われる。
【００５１】
また、機能実行部５５は、図３及び図４（ｂ）に示すように、フォーカス調整画面（９倍）及びフォーカス調整画面（６倍）において、方向キー１７ａの上下キーへの操作が検出された場合には、フォーカス調整画面（６倍）とフォーカス調整画面（６倍）との間を移行させる機能を実行する。機能実行の結果、表示制御部５２により、フォーカス調整画面（６倍）とフォーカス調整画面（６倍）との間の表示を切り替えるように出力部１８が制御される。
【００５２】
また、機能実行部５５は、フォーカス調整画面（９倍）及びフォーカス調整画面（６倍）において、ＳＥＴキー１７ｂへの操作が検出された場合には、フォーカス位置を確定して、ＭＦスルー画面へ移行（復帰）させる機能を実行する。機能実行の結果、表示制御部５２により、フォーカス位置を確定して、ＭＦスルー画面へ移行（復帰）させるように出力部１８が制御される。
【００５３】
撮像制御部５６は、ライブビュー画像の取得用の撮像をしたり、フォーカス処理結果（設定されたフォーカス位置）に基づいて撮像を行ったりするように撮像部１６を制御する。また、撮像制御部５６は、検出したハーフシャッター操作に基づいて、ＭＦモード設定に応じたフォーカス位置でフォーカスを行うように撮像部１６を制御する。
【００５４】
記憶制御部５７は、撮像部１６から出力される撮像画像を記憶するように画像記憶部７１を制御する。その結果、撮像画像は、画像記憶部７１に記憶される。
【００５５】
図６は、図５の機能的構成を有する図１の撮像装置が実行する撮影処理の流れを説明するフローチャートである。
撮影処理は、ユーザによる入力部１７への撮影処理開始の操作により開始される。
【００５６】
ステップＳ１１において、モード設定部５１は、マニュアルフォーカス（ＭＦ）モードか否かを判定する。
ＭＦモードでない場合には、ステップＳ１１においてＮＯと判定されて、ＡＦモードによる撮影処理を実行するか、あるいは撮影処理を終了する。
ＭＦモードである場合には、ステップＳ１１においてＹＥＳと判定されて、処理はステップＳ１２に進む。
【００５７】
ステップＳ１２において、表示制御部５２は、ライブビュー画面を全体表示状態にするように出力部１８を制御する。即ち、表示制御部５２は、ＭＦモード下の表示として、図３に示すようなＭＦスルー画面を表示するように出力部１８を制御する。この際、撮像制御部５６により、撮像部１６においてライブビュー画像を出力する制御が行われる。
【００５８】
ステップＳ１３において、キー割り当て処理部５３は、キー割り当て処理する。キー割り当て処理の流れについては後述する。
【００５９】
ステップＳ１４において、入力操作検出部５４は、キーの操作があったか否かを判定する。
キーの操作がない場合には、ステップＳ１４においてＮＯと判定されて、処理はステップＳ２９に進む。ステップＳ２９以降の処理は後述する。
キーの操作があった場合には、ステップＳ１４においてＹＥＳと判定されて、処理はステップＳ１５に進む。
【００６０】
ステップＳ１５において、入力操作検出部５４は、方向キー１７ａの上下キーであったか否かを判定する。
方向キー１７ａの上下キーであった場合には、ステップＳ１５においてＹＥＳと判定されて、処理はステップＳ１６に進む。
【００６１】
ステップＳ１６において機能実行部５５は、一部拡大表示中か否かを判定する。
一部拡大表示中でない場合には、ステップＳ１６においてＮＯと判定されて、処理はステップＳ１７に進む。
【００６２】
ステップＳ１７において、機能実行部５５は、操作方向と操作量に応じて、ユーザが割り当てた機能を実行する。その結果、ユーザが割り当てた所望の機能が発揮される。例えば、機能実行部５５は、表示制御部５２により、図３に示すように、ＭＦスルー画面からフォーカス調整画面（９倍）へ移行させる機能を実行する。
【００６３】
これに対して、一部拡大表示中の場合には、ステップＳ１６においてＹＥＳと判定されて、処理はステップＳ１８に進む。
【００６４】
ステップＳ１８において、表示制御部５２は、操作方向と操作量に応じて、拡大率を変化させて、対応する表示の変更を行うように出力部１８を制御する。即ち、表示制御部５２は、図３及び図４（ｂ）に示すように、フォーカス調整画面（９倍）とフォーカス調整画面（６倍）との間を移行するように出力部１８を制御する。画面の切り替えに係る制御は、入力操作検出部５４によるユーザの入力部１７への操作の検出結果に基づいて、機能実行部５５が機能を実行することにより開始される。
【００６５】
これに対して、方向キー１７ａの上下キーでない場合には、ステップＳ１５においてＮＯと判定されて、処理はステップＳ１９に進む。
【００６６】
ステップＳ１９において、入力操作検出部５４は、方向キー１７ａの左右キーであるか否かを判定する。
方向キー１７ａの左右キーである場合には、ステップＳ１９においてＹＥＳと判定されて、処理はステップＳ２０に進む。
【００６７】
ステップＳ２０において、機能実行部５５は、一部拡大表示中か否かを判定する。
一部拡大表示中でない場合には、ステップＳ２０においてＮＯと判定されて、処理はステップＳ２１に進む。
【００６８】
ステップＳ２１において、表示制御部５２は、ライブビュー画面を一部拡大表示状態にし、対応する表示の変更を行うように出力部１８を制御する。表示の変更に係る制御は、入力操作検出部５４によるユーザの入力部１７への操作の検出結果に基づいて、機能実行部５５が機能を実行することにより開始される。
【００６９】
これに対して、一部拡大表示中の場合には、ステップＳ２０においてＹＥＳと判定されて、処理はステップＳ２２に進む。
【００７０】
ステップＳ２２において、表示制御部５２は、操作方向と操作量に応じて、フォーカス位置を変化させて、対応する表示の変更を行うように出力部１８を制御する。即ち、表示制御部５２は、図３及び図４（ａ）に示すように、フォーカス位置を変更するように出力部１８を制御する。また、フォーカス位置の変更と共に、フォーカス位置の値を変更する。フォーカス位置の変更に係る制御は、入力操作検出部５４によるユーザの入力部１７への操作の検出結果に基づいて、機能実行部５５が機能を実行することにより開始される。
【００７１】
これに対して、方向キー１７ａの左右キーでない場合には、ステップＳ１９においてＮＯと判定されて、処理はステップＳ２３に進む。
【００７２】
ステップＳ２３において、入力操作検出部５４は、ＳＥＴキー１７ｂ等であるか否かを判定する。
ＳＥＴキー１７ｂ等である場合には、ステップＳ２３においてＹＥＳと判定されて、処理はステップＳ２４に進む。
【００７３】
ステップＳ２４において、機能実行部５５は、一部拡大表示中であるか否かを判定する。
一部拡大表示中でない場合には、ステップＳ２４においてＮＯと判定されて、処理はステップＳ２５に進む。
【００７４】
ステップＳ２５において、機能実行部５５は、操作方向と操作量に応じて、ユーザが割り当てた機能を実行する。その結果、ユーザが割り当てた所望の機能が発揮される。表示の変更に係る制御は、入力操作検出部５４によるユーザの入力部１７への操作の検出結果に基づいて、機能実行部５５が機能を実行することにより開始される。
【００７５】
一部拡大表示中である場合には、ステップＳ２４においてＹＥＳと判定されて、処理はステップＳ２６に進む。
【００７６】
ステップＳ２６において、表示制御部５２は、ライブビュー画面を全体表示状態にするように出力部１８を制御する。即ち、表示制御部５２は、ＭＦモード下の表示として、図３に示すように、ＭＦスルー画面に復帰する表示を行うように出力部１８を制御する。
【００７７】
これに対して、ＳＥＴキー１７ｂ等でない場合には、ステップＳ２３においてＮＯと判定されて、処理はステップＳ２７に進む。
【００７８】
ステップＳ２７において、機能実行部５５は、その他のキー操作に対応した処理を実行する。その結果、その他のキー操作に対応した処理を実行する機能が発揮される。
【００７９】
ステップＳ２８において、撮像制御部５６は、撮影指示があったか否かを判定する。
撮影指示があった場合には、ステップＳ２８においてＹＥＳと判定されて、処理はステップＳ３０に進む。
【００８０】
ステップＳ２９において、撮像制御部５６は、設定されたフォーカス位置等に基づいて、撮影を行うように撮像部１６を制御する。そして、記憶制御部５７は、撮像部１６から出力された撮像画像を記憶させるように画像記憶部７１を制御する。
【００８１】
これに対して、撮影指示がない場合には、ステップＳ２８においてＮＯと判定されて、処理はステップＳ３０に進む。
【００８２】
ステップＳ３０において、ＣＰＵ１１は、撮像処理を終了するか否かを判定する。
終了しない場合には、ステップＳ３０においてＮＯと判定されて、処理はステップＳ１４に戻る。
終了する場合には、ステップＳ３０においてＹＥＳと判定されて、撮像処理は終了する。
【００８３】
図７は、撮影処理のうち、キー割り当て処理の流れを説明するフローチャートである。
【００８４】
ステップＳ５１において、キー割り当て処理部５３は、一部拡大表示における方向キー１７ａの左右キーの操作機能をフォーカス位置の調整に割り当てる。即ち、キー割り当て処理部５３は、方向キー１７ａの左右キーに対して、図３及び図４（ａ）に示すように、フォーカス調整画面において、フォーカス位置の調整を行う機能を割り当てる。
【００８５】
ステップＳ５２において、キー割り当て処理部５３は、全体表示における方向キー１７ａの下キーの操作機能を一部拡大表示への移行に割り当てる。即ち、キー割り当て処理部５３は、方向キー１７ａの下キーに対して、ＭＦスルー画面において、図３に示すように、フォーカス調整画面（９倍）に移行する機能を割り当てる。
【００８６】
ステップＳ５３において、キー割り当て処理部５３は、一部拡大表示における方向キー１７ａの上下キーの操作機能を拡大率の変更に割り当てる。即ち、キー割り当て処理部５３は、方向キー１７ａの上下キーに対して、図３及び図４（ｂ）に示すように、フォーカス調整画面（９倍）とフォーカス調整画面（６倍）との間を移行する機能を割り当てる。
【００８７】
ステップＳ５４において、キー割り当て処理部５３は、一部拡大表示におけるＳＥＴキーの操作機能を全体表示への移行に割り当てる。即ち、キー割り当て処理部５３は、ＳＥＴキー１７ｂに対して、図３に示すように、フォーカス調整画面からＭＦスルー画面へ移行（復帰）する機能を割り当てる。
【００８８】
ステップＳ５５において、キー割り当て処理部５３は、全体表示、一部拡大表示におけるその他のキーの操作機能を、ユーザに任意に割り当てさせる。
その後、キー割り当て処理は終了する。
【００８９】
以上のように構成される撮像装置１においては、キー割り当て処理部５３と、入力部１７と、を備える。
キー割り当て処理部５３は、ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の入力部１７で兼用するようにキー割り当てを行う。
これにより、撮像装置１においては、撮影中においてユーザがマニュアル操作で、フォーカス調整と他の撮影パラメータの調整などの複数の操作を容易に素早く行うことができるようになる。また、操作の種類に応じて、専用の入力部１７を新たに設ける必要がなく、限られた入力部１７の構成でまかなうことができる。
【００９０】
キー割り当て処理部５３は、ライブビュー画面の全体を表示した状態で、ハードウェアで構成される所定の入力部１７に第３の操作を割り当て、ライブビュー画面の一部を拡大表示した状態で、入力部１７への割り当てを第３の操作から、第２の操作に切り替え、ライブビュー画面の一部を拡大表示した状態からライブビュー画面の全体表示の状態に戻った場合に、入力部１７への割り当てを第３の操作に戻すように割り当てる。
これにより、撮像装置１においては、撮影中においてユーザがマニュアル操作で、フォーカス調整と他の撮影パラメータの調整などの複数の操作を容易に素早く行うことができるようになる。
【００９１】
キー割り当て処理部５３は、ライブビュー画面の全体を表示した状態で、ハードウェアで構成される複数の入力部１７による複数の操作を行うように割り当て、複数の入力部１７及び複数の操作のうち、ライブビュー画面の一部を拡大した状態で一時的に未使用となる複数の入力部１７のうちのいずれかの入力部１７及び複数の操作のうちのいずれかの操作を、ハードウェアで構成される所定の入力部１７で行われる第２の操作に切り替えるように割り当てる。
これにより、撮像装置１においては、撮影中においてユーザがマニュアル操作で、フォーカス調整と他の撮影パラメータの調整などの複数の操作を容易に素早く行うことができるようになる。
【００９２】
キー割り当て処理部５３は、ライブビュー画面の全体を表示した状態で、ハードウェアで構成される所定の入力部１７に、第１の操作を割り当て、ライブビュー画面の一部を拡大表示した場合に、当該ハードウェアで構成される所定の入力部１７への割り当てを、第２の操作へ切り替えると共に、当該ハードウェアで構成される所定の入力部１７が更に操作されるとフォーカス調整を行うように割り当てる。
これにより、撮像装置１においては、撮影中においてユーザがマニュアル操作で、フォーカス調整と他の撮影パラメータの調整などの複数の操作を容易に素早く行うことができるようになる。
【００９３】
ハードウェアで構成される所定の入力部１７は、特定の表示画面下においてフォーカス位置の変更専用の入力部１７であり、キー割り当て処理部５３は、ハードウェアで構成される所定の入力部１７への操作によりフォーカス位置が変更された場合に、ライブビュー画面の一部の拡大表示へ切り替えるように割り当てる。
これにより、撮像装置１においては、撮影中においてユーザがマニュアル操作で、フォーカス調整と他の撮影パラメータの調整などの複数の操作を容易に素早く行うことができるようになる。
【００９４】
ハードウェアで構成される所定の入力部１７は、方向キー１７ａと、ＳＥＴキー１７ｂで構成する。
キー割り当て処理部５３は、入力部１７の方向キー１７ａに、第２の操作と３の操作を兼用させ、ＳＥＴキー１７ｂに、第１の操作と第２の操作を兼用させるように割り当てる。
これにより、撮像装置１においては、操作の種類に応じて、専用の入力部１７を新たに設ける必要がなく、限られた入力部１７の構成でまかなうことができる。
【００９５】
第２の操作は、フォーカス位置の変更操作であり、第３の操作は、拡大率の変更操作である。
これにより、撮像装置１においては、撮影中においてユーザがマニュアル操作で、フォーカス調整と他の撮影パラメータの調整などの複数の操作を容易に素早く行うことができるようになる。
【００９６】
ライブビュー画面の全体を表示した状態で、拡大率に相当する拡大予定部分を枠表示し、ライブビュー画面の一部を拡大した場合に、拡大率に対応するライブビュー画面の全体と拡大部分の対応関係を示す枠表示を行うように出力部１８を制御する表示制御部５２を備える。
これにより、撮像装置１においては、ユーザに直感的に現在の状態を把握させることができる。
【００９７】
表示制御部５２は、ライブビュー画面の一部の拡大表示中は、現在のフォーカス位置を示すバー表示を行うように出力部１８を制御する。
これにより、撮像装置１においては、ユーザに直感的な操作を行わせることができる。
【００９８】
表示制御部５２は、設定可能な複数の拡大率のうち、拡大表示へ切り替え時のデフォルトは高い方の拡大率となるように出力部１８を制御する。
これにより、撮像装置１においては、ユーザによりレンジの狭い領域を表示させるためにピンポイントな調整を行わせることができる。
【００９９】
キー割り当て処理部５３は、フォーカス位置の確定操作と、拡大表示を解除して全画面表示への切り替え操作と、第３の操作を、ハードウェアで構成される所定の入力部１７で兼用するように割り当てる。
これにより、撮像装置１においては、操作の種類に応じて、専用の入力部１７を新たに設ける必要がなく、限られた入力部１７の構成でまかなうことができる。
【０１００】
また、撮像装置１においては、キー割り当て処理部５３と、入力部１７と、入力操作検出部５４と、機能実行部５５と、を備える。
キー割り当て処理部５３は、画面表示の切り替えを実行する第１の機能を、入力部１７での第１の操作に割り当て、第１の画面で実行される第２の機能を当該入力部１７での第２の操作に割り当て、第２の画面で実行される第３の機能を当該入力部１７での第３の操作に割り当てる。
入力操作検出部５４は、表示画面と、操作状態の条件に基づいて、入力部１７への操作を検出する。
機能実行部５５は、入力操作検出部５４により検出された操作に基づいて、キー割り当て処理部５３により割り当てられた機能を実行する。
これにより、撮像装置１においては、撮影中においてユーザがマニュアル操作で、フォーカス調整と他の撮影パラメータの調整などの複数の操作を容易に素早く行うことができるようになる。また、操作の種類に応じて、専用の入力部１７を新たに設ける必要がなく、限られた入力部１７の構成でまかなうことができる。
【０１０１】
第１の操作によって実行される第１の機能は、ライブビュー画面の全体表示から一部の拡大表示への切り替え機能であり、第２の操作によって実行される第２の機能は、一部の拡大表示におけるフォーカス調整機能であり、第３の操作によって実行される第３の機能は、ライブビュー画面の全体表示におけるフォーカス調整以外の機能である。
これにより、撮像装置１においては、撮影中においてユーザがマニュアル操作で、フォーカス調整と他の撮影パラメータの調整などの複数の操作を容易に素早く行うことができるようになる。
【０１０２】
なお、本発明は、上述の実施形態に限定されるものではなく、本発明の目的を達成できる範囲での変形、改良等は本発明に含まれるものである。
【０１０３】
上述した実施形態では、入力部１７の方向キー１７ａやＳＥＴキー１７ｂに割り当てていた機能を、コントロールダイヤル１７ｂやファンクションリング１７ｄ等に割り当てるように構成してもよい。
【０１０４】
また、上述の実施形態では、本発明が適用される撮像装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【０１０５】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【０１０６】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１０７】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【０１０８】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１０９】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１０】
以下に、本願の出願当初の特許請求の範囲に記載された発明を付記する。
［付記１］
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当手段を、
備えることを特徴とする情報処理装置。
［付記２］
前記割当手段は、
前記ライブビュー画面の全体を表示した状態で、前記ハードウェアで構成される所定の操作手段に前記第３の操作を割り当て、
前記ライブビュー画面の一部を拡大表示した状態で、前記操作手段への割り当てを前記第３の操作から、前記第２の操作に切り替え、
前記ライブビュー画面の一部を拡大表示した状態から前記ライブビュー画面の全体表示の状態に戻った場合に、前記操作手段への割り当てを前記第３の操作に戻すように割り当てる、
ことを特徴とする付記１に記載の情報処理装置。
［付記３］
前記割当手段は、
ライブビュー画面の全体を表示した状態で、ハードウェアで構成される複数の操作手段による複数の操作を行うように割り当て、
前記複数の操作手段及び前記複数の操作のうち、ライブビュー画面の一部を拡大した状態で一時的に未使用となる前記複数の操作手段のうちのいずれかの操作手段及び前記複数の操作のうちのいずれかの操作を、前記ハードウェアで構成される所定の操作手段で行われる前記第２の操作に切り替えるように割り当てる、
ことを特徴とする付記１又は２に記載の情報処理装置。
［付記４］
前記割当手段は、
ライブビュー画面の全体を表示した状態で、前記ハードウェアで構成される所定の操作手段に、前記第１の操作を割り当て、
ライブビュー画面の一部を拡大表示した場合に、当該ハードウェアで構成される所定の操作手段への割り当てを、前記第２の操作へ切り替えると共に、当該ハードウェアで構成される所定の操作手段が更に操作されるとフォーカス調整を行うように割り当てる、
ことを特徴とする付記１に記載の情報処理装置。
［付記５］
前記ハードウェアで構成される所定の操作手段は、特定の表示画面下においてフォーカス位置の変更専用の操作手段であり、
前記割当手段は、前記ハードウェアで構成される所定の操作手段への操作によりフォーカス位置が変更された場合に、前記ライブビュー画面の一部の拡大表示へ切り替えるように割り当てる、
ことを特徴とする付記４に記載の情報処理装置。
［付記６］
前記ハードウェアで構成される所定の操作手段は、第１の操作手段と、第２の操作手段とで構成し、
前記割当手段は、前記第１の操作手段に、前記第２の操作と前記３の操作を兼用させ、前記第２の操作手段に、前記第１の操作と前記第２の操作を兼用させるように割り当てる、
ことを特徴とする付記１乃至５のいずれか１つに記載の情報処理装置。
［付記７］
前記第２の操作は、フォーカス位置の変更操作であり、
前記第３の操作は、拡大率の変更操作である、
ことを特徴とする付記１乃至６のいずれか１つに記載の情報処理装置。
［付記８］
ライブビュー画面の全体を表示した状態で、拡大率に相当する拡大予定部分を枠表示し、ライブビュー画面の一部を拡大した場合に、拡大率に対応するライブビュー画面の全体と拡大部分の対応関係を示す枠表示を行うように表示手段を制御する表示制御手段を備える、
ことを特徴とする付記１乃至７のいずれか１つに記載の情報処理装置。
［付記９］
前記表示制御手段は、ライブビュー画面の一部の拡大表示中は、現在のフォーカス位置を示すバー表示を行うように前記表示手段を制御する、
ことを特徴とする付記８に記載の情報処理装置。
［付記１０］
前記表示制御手段は、設定可能な複数の拡大率のうち、拡大表示へ切り替え時のデフォルトは高い方の拡大率となるように前記表示手段を制御する、 
ことを特徴とする付記８又は９に記載の情報処理装置。
［付記１１］
前記割当手段は、フォーカス位置の確定操作と、拡大表示を解除して全画面表示への切り替え操作と、前記第３の操作を、前記ハードウェアで構成される所定の操作手段で兼用するように割り当てる、
ことを特徴とする付記１乃至１０のいずれか１つに記載の情報処理装置。
［付記１２］
画面表示の切り替えを実行する第１の機能を、操作手段での第１の操作に割り当て、第１の画面で実行される第２の機能を当該操作手段での第２の操作に割り当て、第２の画面で実行される第３の機能を当該操作手段での第３の操作に割り当てる割当手段と、
表示画面と、操作状態の条件に基づいて、操作手段への操作を検出する操作検出手段と、
前記操作検出手段により検出された操作に基づいて、前記割当手段により割り当てられた機能を実行する実行手段と、
を備えることを特徴とする情報処理装置。
［付記１３］
前記第１の操作によって実行される前記第１の機能は、ライブビュー画面の全体表示から一部の拡大表示への切り替え機能であり、
前記第２の操作によって実行される前記第２の機能は、一部の拡大表示におけるフォーカス調整機能であり、
前記第３の操作によって実行される前記第３の機能は、ライブビュー画面の全体表示におけるフォーカス調整以外の機能である、
ことを特徴とする付記１２に記載の情報処理装置。
［付記１４］
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当ステップを、
含むことを特徴とする情報処理方法。
［付記１５］
コンピュータに、
ライブビュー画面の全体表示から一部の拡大表示へ切り替える第１の操作、一部の拡大表示におけるフォーカス調整に係る第２の操作、ライブビュー画面の全体表示におけるフォーカス調整以外の操作である第３の操作のうちのいずれか複数の操作を、ハードウェアで構成される所定の操作手段で兼用するようにキー割り当てを行う割当機能を、
実現させることを特徴とするプログラム。
【符号の説明】
【０１１１】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部１８・・・記憶部，２０・・・通信部，２１・・・ドライブ，３１・・・リムーバブルメディア，５１・・・モード設定部，５２・・・表示制御部，５３・・・キー割り当て処理部，５４・・・入力操作検出部，５５・・・機能実行部，５６・・・撮像制御部，５７・・・記憶制御部，７１・・・画像記憶部
【図１】
2015179961.tif 000003
【図２】
2015179961.tif 000004
【図３】
2015179961.tif 000005
【図４】
2015179961.tif 000006
【図５】
2015179961.tif 000007
【図６】
2015179961.tif 000008
【図７】
2015179961.tif 000009